(57)【要約】【課題】  収納ケース内部における昇降棚の奥側のスペースを有効活用できる昇降装置を提供する。【解決手段】  収納装置１は、前面が開放された箱形形状を有する収納ケース３と、収納ケース３の前面側に収納され、前支持リンク１３ａ及び後支持リンク１４ｂを介して前下方へと引き出し自在に取付けられた昇降棚２と、収納ケース３の後面１６側に収納され、前面側へと移動自在に取付けられた箱体５と、引き出しアーム１５ｂと係合部材３０ｂとからなる係合手段とを備えている。昇降棚２の引き出しにより生じる引き出しアーム１５ｂの回転に伴って、引き出しアーム１５ｂと係合部材３０ｂとは係合状態となって箱体５を前面側へと移動させる。また、昇降棚２の収納により生じる引き出しアーム１５ｂの回転に伴って、引き出しアーム１５ｂと係合部材３０ｂとは係合状態となって箱体５を収納ケース３の後面１６側へと移動させる。【選択図】        図２
2005319138.tif 000002
【特許請求の範囲】
【請求項１】
少なくとも前面が開放され、前記前面と対向する後面を有する箱形形状の収納ケースと、
前記収納ケースの前記前面側に収納され、一対の平行支持リンクを介して前記前面から前下方へと引き出し自在に取付けられた昇降棚と、
前記収納ケースの前記後面側に収納され、前記前面側へ移動自在に取付けられた箱体と、
前記昇降棚の前記前下方への引き出しに伴って前記箱体を前記前面側へと移動させ、前記昇降棚の前記収納ケースへの収納に伴って前記箱体を前記後面側へと移動させる係合手段とを備えた、収納装置。
【請求項２】
前記係合手段は、
前記平行支持リンクに取付けられるアームと、
前記箱体の側面に、第１の位置から第２の位置を経由して第３の位置までの間を移動自在となるように軸を介して取付けられ、前記昇降棚の引き出しにより生じる前記アームの回転に伴って、前記第２の位置において前記アームに当接しながら前記第１の位置へと移動して前記アームと係合することによって前記箱体を移動させ、前記箱体が前記前面側へと所定量移動した状態にあっては、前記アームの回転軌道から外れて、前記第１の位置から前記第２の位置へと移動し、前記昇降棚の収納により生じる前記アームの回転に伴って、前記第２の位置において前記アームに当接しながら前記第３の位置へと移動して前記アームと係合する係合部材とを備える、請求項１記載の収納装置。
【請求項３】
前記係合部材は、前記箱体が前記後面側における引き出し前の位置まで収納されたときに、前記アームの回転軌道から外れて、前記第３の位置から前記第２の位置へと移動する、請求項２記載の収納装置。
【請求項４】
前記箱体が前記所定量引き出されたときに、前記箱体の前方の面が前記前面に沿った状態となる、請求項２または請求項３記載の収納装置。
【請求項５】
前記係合部材は、前記側面に前記軸を介して回動自在に取付けられ、前記軸を中心としてほぼ前後に延びる円弧形状を有する長孔が形成されるプレートと、前記長孔を貫通した状態で前記側面に固定されるピンと、前記プレートに回動自在に取付けられるローラーとからなり、
前記係合部材を前記第２の位置へと常に付勢するように前記プレートに取り付けられる付勢手段を更に備え、
前記係合部材は、前記ピンが前記長孔の前記後面側の端部と当接するときに前記第１の位置に配置され、前記ピンが前記長孔の前記前面側の端部と当接するときに前記第３の位置に配置される、請求項２から請求項４のいずれかに記載の収納装置。
【請求項６】
前記収納ケースの幅方向に対向する一対の支持板の各々の内方面に取付けられる一対のレールと、前記箱体の外側面に取付けられ、前記レールに沿って移動自在となるように前記レールと係合するスライド部材とを含むスライド手段を更に備える、請求項１から請求項５のいずれかに記載の収納装置。
【請求項７】
前記スライド手段は、前記箱体の少なくとも一部が前記前面から外方側へと引き出し自在となるように形成される、請求項６記載の収納装置。
【発明の詳細な説明】
【技術分野】
【０００１】
この発明は収納装置に関し、特に、台所等で使用される収納装置に関するものである。
【背景技術】
【０００２】
図１４は、台所等で使用される従来の収納装置の外観形状を示した正面図であり、図１５は、図１４で示したＸＶ−ＸＶラインの断面図である。
【０００３】
これらの図を参照して、前面が開放された箱形形状を有する収納ケース３の内部に、同じく前面が開放された箱形形状を有する昇降棚２が収納され、昇降棚２と収納ケース３とは一対の平行支持リンクを介して架け渡されるように接続されている。収納装置５１は左右対称に構成されているため、以下では、昇降棚２の左側部分における構成及び動作を中心に説明する。
【０００４】
収納装置５１の左側部分において平行支持リンクを構成する前支持リンク１３ａは、その上方端部が軸１１ａを介して昇降棚２の取付板１０ａに回動自在に取付けられ、その下方端部が収納ケース３の支持板６ａに固定された機構ボックス５４ａに、軸５２ａを介して回動自在に構成されている。また、後支持リンク１４ａは、その上方端部が軸１２ａを介して取付板１０ａに回動自在に取付けられ、その下方部が機構ボックス５４ａ内部に挿通された回動軸５３ａに固定されている。このようにして昇降棚２が支持されているため、昇降棚２を収納ケースの開放面から前下方へと、図１５で示した二点鎖線の位置同志の間を引き出し自在に移動させることが可能である。
【０００５】
支持板６ａの内方面に固定された機構ボックス５４ａの内部には、渦巻きばね５６ａ及びオイルダンパー５５ａが収納されている。
【０００６】
渦巻きばね５６ａは、その内方端部が機構ボックス５４ａに挿通された回動軸５３ａに固定されると共に、その外方端部が回動軸５３ａ以外の部分に固定されている。この渦巻きばね５６ａは、昇降棚２の引き出しによって生じる回動軸５３ａの回転方向とは反対の方向に回動軸５３ａを付勢して、昇降棚２の収納動作に要する力を軽減するために取付けられているものである。
【０００７】
また、オイルダンパー５５ａは、その上方端部が軸を介して回動自在に機構ボックス５４ａに取付けられると共に、その下方端部が、機構ボックス１０ａ内部に挿通されたダンパー取付軸５７ａに回動自在に取付けられている。このダンパー取付軸５７ａは、機構ボックス５４ａの外方において後支持リンク１４ａの下方端部に接続されており、後支持リンク１４ａの回転に伴って、回動軸５３ａを中心に移動自在に構成されている。昇降棚２の引き出し時には、後支持リンク１４ａ及びダンパー取付軸５７ａを介して、オイルダンパー５５ａは伸縮され、緩衝作用を発揮するため、昇降棚２の急激な移動が抑制されている。
【０００８】
収納装置５１の使用時には昇降棚２の取手４を持って収納ケース３の開口面から前下方に引き出した状態とし、昇降棚２の内部に食器等の物品を出し入れする。その後、取手４を持って昇降棚２を持ち上げるように移動させて、収納ケース３の内部に収納する。この昇降棚２の収納の過程では、機構ボックス５４ａの内部に取付けられた渦巻きばね５６によって、昇降棚２は回動軸５３ａを介して収納ケース３内部へと付勢されているため、昇降棚２の移動に要する力が軽減され使い勝手が良い。
【発明の開示】
【発明が解決しようとする課題】
【０００９】
図１５を続けて参照して、上記のような従来の収納装置５１では、収納ケース３の奥行きが昇降棚２の奥行きより大きい場合、昇降棚２の奥側には例えば奥行きｄのスペースが生じることになるが、この奥側のスペースは収納のためには使用されていない状態となる。そこで、この収納棚２の奥側のスペースを収納に利用できるように、単に昇降棚２の奥行き方向の寸法を収納ケース３に合わせて、未使用スペースの奥行きｄの範囲内で大きくすることが考えられる。
【００１０】
ここで、上記の昇降棚２の昇降動作の詳細についてみると、昇降棚２は平行支持リンクを介して収納ケース３に取付けられているため、昇降棚２の各部は前面と直交する方向に直接移動することはできず、平行支持リンクの回転に応じた円弧状の軌道上を移動する。すなわち、昇降棚２の昇降時には、前面へと向かう水平方向の移動だけでなく、必然的に垂直方向の移動を伴うことになる。また、この昇降棚２の垂直方向の移動距離は昇降棚２の引き出し量が多くなるにつれて増加する。
【００１１】
昇降棚２を収納ケース３から引き出し自在とするためには、昇降棚２の全体が収納ケース３の外方へと到達するまでの間に、昇降棚２の下面と収納ケース３の下方面とが接触しないことが必要である。言い換えれば、収納ケース３の下方面との間の高さｈを、昇降棚２の下面の後方端部が収納ケース３の外方に引き出されるまでに移動する垂直距離より、大きく設定しておく必要がある。
【００１２】
昇降棚２の奥行きを収納ケース３に合わせて大きくした場合、昇降棚２の後方端部を収納ケース３の外方へと引き出すまでの移動量が更に大きくなるため、昇降棚２の下面の垂直方向の移動距離も大きくなる。よって、昇降棚２の下面と収納ケースの下方面との間隔ｈもこれに応じて大きくする必要がある。
【００１３】
このように、昇降棚２を収納ケース３の前面から引き出し自在とするための制約があるために、昇降棚２の奥行きを単に大きくするだけでは、今度は昇降棚２の下方のスペース（高さｈ）を大きく設定せざるを得ず、結果として、収納ケース３の大きさに応じてその内部の利用効率が向上するとは言えない。
【００１４】
この発明は、上記のような課題を解決するためになされたもので、収納ケース内部における昇降棚の奥側のスペースを有効活用できる昇降装置を提供することを目的とする。
【課題を解決するための手段】
【００１５】
上記の目的を達成するために、請求項１記載の発明は、少なくとも前面が開放され、前面と対向する後面を有する箱形形状の収納ケースと、収納ケースの前面側に収納され、一対の平行支持リンクを介して前面から前下方へと引き出し自在に取付けられた昇降棚と、収納ケースの後面側に収納され、前面側へ移動自在に取付けられた箱体と、昇降棚の前下方への引き出しに伴って箱体を前面側へと移動させ、昇降棚の収納ケースへの収納に伴って箱体を後面側へと移動させる係合手段とを備えたものである。
【００１６】
このように構成すると、箱体は、昇降棚の引き出しに伴って前面側に移動し、昇降棚の収納に伴って後面側へと移動する。
【００１７】
請求項２記載の発明は、請求項１記載の発明の構成において、係合手段は、平行支持リンクに取付けられるアームと、箱体の側面に、第１の位置から第２の位置を経由して第３の位置までの間を移動自在となるように軸を介して取付けられ、昇降棚の引き出しにより生じるアームの回転に伴って、第２の位置においてアームに当接しながら第１の位置へと移動してアームと係合することによって箱体を移動させ、箱体が前面側へと所定量移動した状態にあっては、アームの回転軌道から外れて、第１の位置から第２の位置へと移動し、昇降棚の収納により生じるアームの回転に伴って、第２の位置においてアームに当接しながら第３の位置へと移動してアームと係合する係合部材とを備えるものである。
【００１８】
このように構成すると、箱体が前面側へと所定量移動した状態となるまで昇降棚を引き出すと、係合手段が第２の位置に移動して昇降棚の収納時にアームと当接可能な状態となる。
【００１９】
請求項３記載の発明は、請求項２記載の発明の構成において、係合部材は、箱体が後面側における引き出し前の位置まで収納されたときに、アームの回転軌道から外れて、第３の位置から第２の位置へと移動するものである。
【００２０】
このように構成すると、箱体が引き出し前の位置に達するまで昇降棚を収納すると、係合部材が第２の位置に移動して昇降棚の引き出し時にアームと当接可能な状態となる。
【００２１】
請求項４記載の発明は、請求項２または請求項３記載の発明の構成において、箱体が所定量引き出されたときに、箱体の前方の面が前面に沿った状態となるものである。
【００２２】
このように構成すると、箱体は、昇降棚の引き出しに伴って収納ケースの前面に沿う位置まで移動して停止する。
【００２３】
請求項５記載の発明は、請求項２から請求項４のいずれかに記載の発明の構成において、係合部材は、側面に軸を介して回動自在に取付けられ、軸を中心としてほぼ前後に延びる円弧形状を有する長孔が形成されるプレートと、長孔を貫通した状態で側面に固定されるピンと、プレートに回動自在に取付けられるローラーとからなり、係合部材を第２の位置へと常に付勢するようにプレートに取り付けられる付勢手段を更に備え、係合部材は、ピンが長孔の前面側の端部と当接するときに第１の位置に配置され、ピンが長孔の後面側の端部と当接するときに第３の位置に配置されるものである。
【００２４】
このように構成すると、係合部材とアームとが係合していない状態にあっては、係合部材は引き出しアームと当接し得る第２の位置に配置される。また、長孔の大きさによって第１の位置及び第３の位置が規定される。
【００２５】
請求項６記載の発明は、請求項１から請求項５のいずれかに記載の発明の構成において、収納ケースの幅方向に対向する一対の支持板の各々の内方面に取付けられる一対のレールと、箱体の外側面に取付けられ、レールに沿って移動自在となるようにレールと係合するスライド部材とを含むスライド手段を更に備えるものである。
【００２６】
このように構成すると、箱体の水平方向の移動が安定する。
【００２７】
請求項７記載の発明は、請求項６記載の発明の構成において、スライド手段は、箱体の少なくとも一部が前面から外方側へと引き出し自在となるように形成されるものである。
【００２８】
このように構成すると、箱体は収納ケースの前面から外方へ引き出し自在となる。
【発明の効果】
【００２９】
以上説明したように、請求項１記載の発明は、箱体は、昇降棚の引き出しに伴って自動的に前面側に移動し、昇降棚の収納に伴って自動的に後面側へと移動するため、昇降棚の後面側のスペースを収納のために有効活用でき、且つ後面側のスペースに配置される箱体への収納がしやすくなる。
【００３０】
請求項２記載の発明は、請求項１記載の発明の効果に加えて、箱体が前面側へと所定量移動した状態となるまで昇降棚を引き出すと、係合部材が第２の位置に移動して昇降棚の収納時にアームと当接可能な状態となるため、昇降棚の引き出し後には、特別な操作を行うことなく昇降棚の収納操作をするだけで、箱体を後面側へと移動させることが可能となり、使い勝手が良い。
【００３１】
請求項３記載の発明は、請求項２記載の発明の効果に加えて、箱体が引き出し前の位置に達するまで昇降棚を収納すると、係合部材が第２の位置に移動して昇降棚の引き出し時にアームと当接可能な状態となるため、昇降棚を昇降する操作だけで、箱体を同じ態様で繰り返して連動させることが可能となり、使い勝手が良い。
【００３２】
請求項４記載の発明は、請求項２または請求項３記載の発明の効果に加えて、箱体は、昇降棚の引き出しに伴って収納ケースの前面に沿う位置まで移動して停止するため、箱体内部への収納作業がよりしやすくなる。
【００３３】
請求項５記載の発明は、請求項２から請求項４のいずれかに記載の発明の効果に加えて、係合部材とアームとが係合していない状態にあっては、係合部材は引き出しアームと当接し得る第２の位置に配置されるため、アームと係合部材との係合が確実となり、昇降棚の操作に連動した箱体の移動が安定する。また、長孔の端部によって第１の位置と第３の位置とが安定する。
【００３４】
請求項６記載の発明は、請求項１から請求項５のいずれかに記載の発明の効果に加えて、箱体の水平方向の移動が安定するため、昇降棚の昇降に伴う箱体の移動が容易となり、使い勝手が良い。
【００３５】
請求項７記載の発明は、請求項６記載の発明の効果に加えて、箱体は収納ケースの前面から外方へ引き出し自在となるため、昇降棚の移動によって前面側に引き出した箱体を、必要に応じて更に前方へと引き出して使用でき、箱体への収納作業がしやすくなる。
【発明を実施するための最良の形態】
【００３６】
図１は、この発明の第１の実施の形態による収納装置の外観形状を示した正面図であり、図２は、図１で示したＩＩ−ＩＩラインの断面図であり、図３は、図２で示したＩＩＩ−ＩＩＩラインの断面図であり、図４は、図１で示したＩＶ−ＩＶラインの断面図である。
【００３７】
これらの図を参照して、収納装置１は、前面が開放された直方体箱形形状を有する収納ケース３と、収納ケース３の内部の前面側に収納された昇降棚２と、収納ケース３の内部の後面１６側に収納された箱体５と、箱体５の外側面を中心に配置された係合手段とから主に構成されている。
【００３８】
収納ケース３の奥行き方向の寸法は、昇降棚２の奥行きに対して十分に大きく、その内部に昇降棚２と箱体５とを前後に並置することができる大きさに設定されている。
【００３９】
昇降棚２は、一対の平行支持リンクを介して収納ケース３の前面側の位置から前下方へと引き出し自在となるように取付けられている。収納装置１の左側において平行支持リンクを構成する前支持リンク１３ａは、その上方端部が軸１１ａを介して昇降棚２に回動自在に取付けられ、その下方端部が支持板６ａの内方面に固定された機構ボックス５４ａに軸５２ａを介して回動自在に取付けられている。後支持リンク１４ａは、その上方端部が軸１２ａを介して昇降棚２に回動自在に取付けられ、その下方部が機構ボックス５４ａの内部に挿通された回動軸５３ａに固定されている。昇降棚２の右側部分についてもほぼ同様に、前支持リンク１３ｂ及び後支持リンク１４ｂを介して、機構ボックス５４ｂとの間を架け渡されるように接続されている。
【００４０】
このように取付けられているため、昇降棚２を収納ケース３の前面から前下方へと引き出し自在に移動することが可能である。
【００４１】
尚、一対の前支持リンク１３ａ及び１３ｂの下方部同志を架け渡すように棒体８が取付けられているが、この棒体８は左右の平行支持リンク同志の動作を同期させて、昇降棚２の移動時における揺動やねじれ等を抑制するためのものである。また、後支持リンク１４ａの下方端部には機構ボックス５４ａの長孔４２の内部を貫通するように配置されたダンパー取付軸４３ａが取付けられている。このダンパー取付軸４３ａは、昇降棚２の急激な移動を抑制するために、機構ボックス５４ａの内部において、図示しないオイルダンパー等の緩衝手段と後支持リンク１４ａとを接続するためのものである。更に、機構ボックス５４ａ及び５４ｂの側面に取付けられた、ほぼ台形状のストッパー７ａ及び７ｂは、後支持リンク１４ａ及び１４ｂの必要以上の移動を停止させるためのものである。
【００４２】
箱体５は、例えば前面が開放された籠体よりなり、その内部に例えば食器等の物品を収納するために用いられるものである。この箱体５は、一対のスライド手段１８ａ及び１８ｂを介して前後に移動自在となるように支持板６ａ及び６ｂに取付けられているが、この点については後述する。
【００４３】
係合手段は、後支持リンク１４ａ及び１４ａに取付けられた引き出しアーム１５ａ及び１５ｂと、箱体５の外側面の各々の前方部に取付けられた係合部材３０ａ及び３０ｂとからなり、収納装置１の左右で対称となるように一対構成されている。この係合手段は、昇降棚２の昇降に伴って、箱体５を収納ケース３の前面側へと移動させるためのものであるが、この点についても詳細は後述する。
【００４４】
図５は、図３で示したＶ−Ｖラインの断面図であり、図６は、図５で示したＶＩ−ＶＩラインの断面図である。尚、ここで示すスライド手段は、収納装置の幅方向に一対設けられているが、これらは左右対称に構成されているので、箱体の左外側面に構成されたスライド手段１８ａについてのみ説明する。
【００４５】
これらの図を参照して、上述したスライド手段１８ａは、収納ケース３の支持板６ａの内方面に取付けられたスライドレール１９と、スライドレール１９にプレート２０を介して取付けられたリニアレール２１と、箱体５の側面に取付けられると共にリニアレール２１と係合するスライド部材２３とから主に構成されている。
【００４６】
スライドレール１９は、支持板６ａの内方面に前後に延びるように取付けられたレール２２ａと、レール２２ａの内部を摺動自在となるようにレール２２ａに係合したレール２２ｂと、レール２２ｂの内部を摺動自在となるようにレール２２ｂと係合したレール２２ｃとから構成されている。このように３本のレール２２ａ〜２２ｃよりなるスライドレール１９は、箱体５の前方への移動範囲を延長して、収納ケース３の前面から更に外方へと引き出すことができるように取付けられているものである。
【００４７】
リニアレール２１は、スライドレール１９を構成するレール２２ｃにプレート２０を介して取付けられており、レール２２ｃとプレート２０とリニアレール２１とが一体となって前後に移動することが可能である。
【００４８】
スライド部材２３は、支持板６ａ側へと突出するように箱体５の外側面に固定された取付部材２５と、取付部材２５の突出した部分に取付けられ、リニアレール２１の内部を摺動自在となるようにリニアレール２１と係合したレール２４とから構成されている。箱体５はこのようなスライド部材２３を介してリニアレール２１に取付けられているため、リニアレール２１に沿って収納ケース３の前後方向にスライド自在である。
【００４９】
図７は、図２で示した係合部材の拡大図であり、図８は、図７で示したＶＩＩＩ−ＶＩＩＩラインの端面図である。尚、係合部材は箱体の外側面の各々に取付けられているが、これらは左右対称に構成されているため、ここでは右外側面の係合部材３０ｂについてのみ詳細に説明する。
【００５０】
これらの図を参照して、係合部材３０ｂは、箱体５の右外側面の前方部分に取付けられ、収納装置の右側の後支持リンクに取付けられた引き出しアーム１５ｂと共に係合手段を構成している。
【００５１】
係合部材３０ｂは、箱体５に取付けられた取付板３１に軸３３を介して回動自在に取付けられたプレート３２を中心として構成されている。プレート３２には、軸３３を中心として箱体５の前後方向に延びる円弧形状の長孔３７が形成されている。そして、取付板３１には、この長孔３７をプレート３２と直交する方向に貫通するピン３４が固定されている。プレート３２の下方端部にはまた、軸３５を中心に回動自在となるようにローラー３６が取付けられている。このローラー３６は、図８に示すように、箱体５と直交する方向（幅方向）において、引き出しアーム１５ｂの移動面がローラー３６の回転面と同一範囲に含まれるような位置に取付けられている。
【００５２】
このように構成されているため、係合部材３０ｂは、ピン３４が長孔３７の端部３８ａ及び３８ｂとで規定される範囲、すなわち、収納ケースの後面側の端部３８ｂとピン３４の後方部とが当接する第１の位置（図７の左側の二点鎖線の位置）から、第２の位置（図７の実線の位置）を経て、収納ケースの前面側の端部３８ｂがピン３４の前方部と当接する第３の位置（図７の右側の二点鎖線の位置）までの間を移動することが可能である。
【００５３】
更に、プレート３２と取付板３１との間には、スプリング４０が取付けられている。スプリング４０の一方端部は、プレート３２に形成された開口３９ａをプレート３２の裏側から挿通した状態で回動自在に取付けられ、他方端部は、取付板３１に形成された開口３９ｂを箱体５側へと挿通した状態で回動自在に取付けられている。このスプリング４０の取付け状態は、係合部材３０ｂ全体を常に図７の実線で示した第２の位置へと矢印の方向に付勢するように設定されている。したがって、係合部材３０ｂは引き出しアーム１５ｂと当接していない状態においては、第２の位置に維持されている。
【００５４】
ここでまず、上述した引き出しアームと係合部材とからなる係合手段の動作について説明する。尚、係合手段の動作は左右対称であるので、右側の係合手段についてのみ説明する。
【００５５】
図９は、図２で示した断面の要部を示した図であって、昇降棚の引き出し過程における係合手段の動作を示した図である。
【００５６】
図を参照して、昇降棚が収納ケース内部に完全に収納された状態では、後支持リンク１４ｂ、箱体５及び係合部材３０ｂは図の実線で示した位置に配置されている。このとき、アーム１５ｂは係合部材３０ｂの下方に位置し、係合部材３０ｂとは当接していない状態である。また、係合部材３０ｂは、上述のスプリング４０よりなる付勢手段によって第２の位置に維持されている。
【００５７】
昇降棚を前下方へと引き出すように移動させると、引き出しアーム１５ｂは、後支持リンク１４ｂと一体となって一点鎖線で示した軌道を矢印の方向に回転する。係合部材３０ｂは、そのローラー３６が第２の位置において引き出しアーム１５ｂと当接しながら、引き出しアーム１５ｂの回転に伴って軸３３を中心に図における時計回りに移動する。そして、後支持リンク１４ｂが回動軸５３ｂを中心に破線で示した位置まで回転すると、係合部材３０ｂは、ピン３４が長孔３７の後面側の端部３８ｂに当接する第１の位置まで回転する。係合部材３０ｂは第１の位置を超えて時計回りに移動することはできず、引き出しアーム１５ｂと係合した状態となり、引き出しアーム１５ｂの回転力はローラーを介して係合部材３０ｂに伝達される。
【００５８】
更に後支持リンク１４ｂが反時計回りに回転すると、ローラー３６を回転させながら移動する引き出しアーム１５ｂと係合部材３０ｂとは、係合状態を維持したまま、箱体５を前面側へと矢印の方向に移動させる。引き出しアーム１５ｂが一点鎖線で示した位置を超えて、二点鎖線の位置まで移動すると、係合部材３０ｂのローラー３６は引き出しアーム１５ｂの回転軌道から外れるため、箱体５は二点鎖線で示した位置で前面側への移動を停止する。そして、係合部材３０ｂは図７のスプリング４０よりなる付勢手段による付勢力に従って、軸３３を中心に第２の位置へと移動する。これによって、ローラー３６は引き出しアーム１５ｂの回転軌道内に復帰する。
【００５９】
図１０は、図２で示した断面の要部を示した図であって、昇降棚の収納過程における係合手段の動作を示した図である。
【００６０】
図を参照して、昇降棚が収納ケースの前下方に完全に引き出された状態では、後支持リンク１４ｂ、箱体５及び係合部材３０ｂは図の実線で示した位置に配置されている。このとき、アーム１５ｂは係合部材３０ｂの下方に位置しており、係合部材３０ｂとは当接していない状態である。そのため、係合部材３０ｂは、図７のスプリング４０よりなる付勢手段によって第２の位置に維持されている。
【００６１】
昇降棚を収納ケースの内部へと持ち上げるように移動させると、引き出しアーム１５ｂは、後支持リンク１４ｂと一体となって一点鎖線で示した軌道を矢印の方向に移動する。このとき、ローラー３６は引き出しアーム１５ｂの回転軌道内にあるため、係合部材３０ｂは実線で示した第２の位置において引き出しアーム１５ｂと当接しながら、引き出しアーム１５ｂの回転に伴って軸３３を中心に図における反時計回りに移動する。そして、後支持リンク１４ｂが回動軸５３ｂを中心に破線で示した位置まで回転すると、係合部材３０ｂはピン３４が長孔３７の前面側の端部３８ａに当接する第３の位置まで回転して、引き出しアーム１５ｂと係合した状態となり、引き出しアーム１５ｂの回転力はローラー３６を介して係合部材３０ｂに伝達される。
【００６２】
更に後支持リンク１４ｂが時計回りに回転すると、引き出しアーム１５ｂと係合部材３０ｂとは係合状態を維持したまま、箱体５を後面側へと矢印の方向に移動させる。引き出しアーム１５ｂが一点鎖線で示した位置を超えて、二点鎖線の位置まで移動すると、係合部材３０ｂのローラー３６は引き出しアーム１５ｂの回転軌道から外れるため、箱体５は二点鎖線で示した位置において移動が停止する。そして、係合部材３０ｂは図７のスプリング４０よりなる付勢手段による付勢力に従って、軸３３を中心に第３の位置から第２の位置へと移動する。
【００６３】
次に、上記のように構成された収納装置全体の動作について説明する。
【００６４】
図１１は、この発明の第１の実施の形態による昇降装置において、昇降棚の引き出し過程の動作を示した概略図であり、図１２は、この発明の第１の実施の形態による昇降装置において、昇降棚を完全に引き出した状態を示した概略図であり、図１３は、この発明の第１の実施の形態による収納装置において、昇降棚の収納過程の動作を示した概略図である。尚、図１２においては、説明上、収納装置の右側のスライド手段の図示を省略している。
【００６５】
図１１を参照して、昇降棚２を収納ケース３内部の前面側の位置から前方へと引き出すようにして、実線で示した位置から破線で示した位置まで移動させる過程では、昇降棚２の引き出しにより生じる引き出しアーム１５ｂの回転によって、第２の位置から第１の位置まで移動して、引き出しアーム１５ｂと係合する。引き出しアーム１５ｂと係合部材３０ｂとが係合するまでの間は、箱体５はまだ前面側へと移動せず、実線で示した後面１６側の位置に維持されている。
【００６６】
更に昇降棚２を二点鎖線で示した位置まで移動させると、箱体５は、係合状態となった係合部材３０ｂと引き出しアーム１５ｂとによって、実線で示した位置から二点鎖線で示した位置へと前面側に移動する。
【００６７】
図１２を参照して、昇降棚２を実線で示した位置まで前下方に引き出すと、箱体５は収納ケース３の前面側の実線で示した位置まで移動する。上述したように、箱体５と収納ケース３とは、スライド手段１８ａを介して取付けられているため、係合部材２５ａはリニアレール２１に沿って滑らかに移動する。これにより、箱体５の水平方向の移動が安定するため、昇降棚２の昇降に伴う箱体５の移動が容易となり、使い勝手が良い。
【００６８】
また、箱体５はその前方の面と収納ケース３の前面とが沿う位置まで移動して停止するため、箱体５が収納ケース３の最前部に配置された状態で使用でき、内部への収納操作がしやすくなる。
【００６９】
更に、スライド手段１８ａは、図５及び図６に示されているように、３つのレール２２ａ〜２２ｃよりなるスライドレール１９を備えており、リニアレール２１はレール２２ｃと一体となって、収納ケース３の外方へとスライド自在である。このように構成されているため、昇降棚２の引き出しに伴って箱体５を実線で示した位置まで移動させた後、箱体５をスライドレール１９を介して二点鎖線で示した収納ケース３の外方まで手動で引き出し自在となる。よって、箱体５の内部に物品等の出し入れをする際に、箱体５を手前に引き出してから使用でき、箱体５への収納作業がしやすくなる。
【００７０】
昇降棚２または箱体５へ物品等を出し入れした後、これらを収納ケース３へと格納する際には、まず箱体５を手動で実線で示した位置まで押し込むように移動させる。その後、昇降棚２を収納ケース３の内部へと持ち上げるように移動させる。
【００７１】
図１３を参照して、昇降棚２及び箱体５が実線で示した位置に配置されているときには、係合部材３０ｂは引き出しアーム１５ｂとは係合せず、図示しない付勢手段によって実線で示した第２の位置に維持されている。このとき、係合部材３０ｂは、昇降棚２を収納方向に移動すれば、第２の位置において引き出しアーム１５ｂと当接することが可能な状態であるため、特別な操作を行うことなく、昇降棚２を収納方向へ移動させるだけで箱体５を後面側へと移動させることができ、使い勝手が良い。
【００７２】
昇降棚２を実線で示した位置から破線で示した位置まで収納する過程では、昇降棚２の収納により生じる引き出しアーム１５ｂの回転によって、係合部材３０ｂは第２の位置から第３の位置まで移動して引き出しアーム１５ｂと係合する。この過程では、箱体５はまだ後面１６側へと移動せず、実線で示した前面側の位置に維持されている。
【００７３】
更に昇降棚２を二点鎖線で示した位置まで収納すると、箱体５は、係合状態となった係合部材３０ｂと引き出しアーム１５ｂとによって、実線で示した位置から後面１６側へと移動し、二点鎖線で示した引き出し前の位置でその移動を停止する。この過程において、係合部材３０ｂが引き出しアーム１５ｂの回転軌道から外れると、図示しない付勢手段による付勢力に従って、係合部材３０ｂは二点鎖線で示した第２の位置に移動する。すなわち、係合部材３０ｂは再度、図１１の実線で示した昇降棚２の引き出し前と同じ状態となり、昇降棚２を引き出す方向に移動すれば、第２の位置において引き出しアーム１５ｂと当接することが可能である。そのため、昇降棚２を一旦収納した後は、昇降棚２を引き出すだけで箱体５を前面側に移動させることが可能となる。
【００７４】
以後、収納装置１の使用の度に図１１から図１３で示した動作が繰り返され、昇降棚２を昇降するだけで、これと連動して箱体２を同じ態様で繰り返して移動させることができ、使い勝手が良い。また、係合部材３０ｂは、上述したように、付勢手段により常に第２の位置へと付勢されている。そのため、昇降棚２の昇降動作のいずれの際にも、係合部材３０ｂと引き出しアーム１５ｂとの係合が確実となり、昇降棚２に連動した箱体５の移動が安定する。
【００７５】
以上のように、この実施の形態による収納装置では、昇降棚２の奥側のスペースに箱体５を配置しても、箱体５は、昇降棚２の引き出しに伴って自動的に前面側に移動し、収納に伴って自動的に後面側に移動するため、昇降棚２の奥側のスペースを収納のために有効活用でき、且つ箱体５への収納作業もしやすくなる。
【００７６】
尚、上記の実施の形態では、係合手段は、引き出しアームと係合部材とから構成されているが、必ずしもこのように構成する必要はなく、係合手段は昇降棚の移動と連動して箱体を前後に移動させることができるものであれば、他の構成としても良い。
【００７７】
また、上記の実施の形態では、引き出しアームは後支持リンクに取付けられているが、必ずしもこのように構成する必要はなく、前支持リンクに取付けても良い。
【００７８】
更に、上記の実施の形態では、箱体の前方の面が収納ケースの前面に沿う位置まで箱体を移動させたときに、係合手段の係合が解除されるように構成されているが、必ずしもこのように構成する必要はなく、箱体をより内方側の位置で停止させるようにしても良い。
【００７９】
更に、上記の実施の形態では、係合部材の移動範囲は長孔とその内部を貫通するピンとによって規定されているが、必ずしもこのように構成する必要はなく、例えばストッパーを設けることによって係合部材の第１〜第３の位置を規定しても良い。
【００８０】
更に、上記の実施の形態では、係合部材を第２の位置に付勢するためにスプリングが取付けられているが、必ずしもこのように構成する必要はなく、スプリングを取付けずに、例えば係合部材の自重によって第２の位置に移動するようにしても良い。
【００８１】
更に、上記の実施の形態では、箱体は、リニアレールとスライド部材とを含むスライド手段を介して収納ケースに取付けられているが、必ずしもこのように構成する必要はなく、スライド手段はなくても良い。
【００８２】
更に、上記の実施の形態では、箱体はスライド手段に含まれるスライドレールを介して、完全に収納ケースの外方の位置へと引き出し自在に構成されているが、必ずしもこのように構成する必要はなく、箱体の少なくとも一部が収納ケースの前面より外方に引き出し自在であれば、外方に引き出せない場合と比べて、使用時における箱体への収納がしやすくなる。また、スライドレールは必ずしも必要ではなく、なくても良い。
【００８３】
更に、上記の実施の形態では、台所で使用される収納装置に適用しているが、必ずしも台所用に限られるものではなく、例えば押し入れや玄関等で用いるの他の収納装置にも同様に適用することが可能である。
【図面の簡単な説明】
【００８４】
【図１】この発明の第１の実施の形態による収納装置の外観形状を示した正面図である。
【図２】図１で示したＩＩ−ＩＩラインの断面図である。
【図３】図２で示したＩＩＩ−ＩＩＩラインの断面図である。
【図４】図１で示したＩＶ−ＩＶラインの断面図である。
【図５】図３で示したＶ−Ｖラインの断面図である。
【図６】図５で示したＶＩ−ＶＩラインの断面図である。
【図７】図２で示した係合部材の拡大図である。
【図８】図７で示したＶＩＩＩ−ＶＩＩＩラインの端面図である。
【図９】図２で示した断面の要部を示した図であって、昇降棚の引き出し過程における係合手段の動作を示した図である。
【図１０】図２で示した断面の要部を示した図であって、昇降棚の収納過程における係合手段の動作を示した図である。
【図１１】この発明の第１の実施の形態による昇降装置において、昇降棚の引き出し過程の動作を示した概略図である。
【図１２】この発明の第１の実施の形態による昇降装置において、昇降棚を完全に引き出した状態を示した概略図である。
【図１３】この発明の第１の実施の形態による収納装置において、昇降棚の収納過程の動作を示した概略図である。
【図１４】台所等で使用される従来の収納装置の外観形状を示した正面図である。
【図１５】図１４で示したＸＶ−ＸＶラインの断面図である。
【符号の説明】
【００８５】
１…収納装置
２…昇降棚
３…収納ケース
５…箱体
６…支持板
１３…前支持リンク
１４…後支持リンク
１５…引き出しアーム
１６…後面
１８…スライド手段
１９…スライドレール
２１…リニアレール
２３…スライド部材
３０…係合部材
３２…プレート
３３…軸
３４…ピン
３６…ローラー
３７…長孔
３８…端部
４０…スプリング
尚、各図中同一符号は同一または相当部分を示す。
【図１】
2005319138.tif 000003
【図２】
2005319138.tif 000004
【図３】
2005319138.tif 000005
【図４】
2005319138.tif 000006
【図５】
2005319138.tif 000007
【図６】
2005319138.tif 000008
【図７】
2005319138.tif 000009
【図８】
2005319138.tif 000010
【図９】
2005319138.tif 000011
【図１０】
2005319138.tif 000012
【図１１】
2005319138.tif 000013
【図１２】
2005319138.tif 000014
【図１３】
2005319138.tif 000015
【図１４】
2005319138.tif 000016
【図１５】
2005319138.tif 000017